(57)【要約】【課題】使用者の好みに応じた頭皮ケアがしやすい頭皮ケア装置を提供する。【解決手段】第１及び第２駆動装置１１，１２の駆動力に基づきそれぞれ回転される第１及び第２出力軸１５，１６に対し、施術突起２３ａを備えた第１及び第２施術子２０ａ，２０ｂがそれぞれ連結され、第１及び第２出力軸１５，１６の回転に伴って回転される施術子２０ａ，２０ｂの施術突起２３ａを頭皮に接触させて刺激を与える頭皮ケア装置１であって、各出力軸１５，１６の間の距離を可変するための軸間距離可変機構３０を備える。【選択図】図１
2011172630.tif 000002
【特許請求の範囲】
【請求項１】
駆動源の駆動力に基づき回転される出力軸に対し施術突起を備えた施術子が連結され、前記出力軸の回転に伴って回転される前記施術子の前記施術突起を頭皮に接触させて刺激を与える頭皮ケア装置であって、
前記出力軸及び前記施術子は、それぞれ複数個設けられ、
前記出力軸同士の間の距離を可変するための軸間距離可変機構を備えたことを特徴とする頭皮ケア装置。
【請求項２】
請求項１に記載の頭皮ケア装置において、
前記各施術子は、複数の前記施術突起からなる突起群を有し、該突起群の中心が対応する前記出力軸からずれた位置に設定されたことを特徴とする頭皮ケア装置。
【請求項３】
請求項２に記載の頭皮ケア装置において、
前記施術子のうち、互いに逆方向に回転する一対の施術子が隣り合うように配置され、それらの前記突起群の中心が、それぞれ対応する前記出力軸を結ぶ線分の垂直二等分線に対して互いに線対称となるように前記出力軸の回りを周回動作する、又はその線対称となる周回動作に対して±１０度の範囲内のずれをもって周回動作するように設定されたことを特徴とする頭皮ケア装置。
【請求項４】
請求項２に記載の頭皮ケア装置において、
前記施術子のうち、互いに同方向に回転する一対の施術子が隣り合うように配置され、その前記突起群の中心が互いに１８０±１０度の範囲内のずれをもって周回動作するように設定されたことを特徴とする頭皮ケア装置。
【請求項５】
請求項４に記載の頭皮ケア装置において、
同方向に回転する前記一対の施術子は、その前記突起群の中心が互いに１８０度のずれをもって周回動作するように設定されたことを特徴とする頭皮ケア装置。
【請求項６】
請求項１〜５のいずれか１項に記載の頭皮ケア装置において、
前記軸間距離可変機構は、前記出力軸の位置を可変するための駆動部と、前記駆動部を制御するための制御手段とを有し、
前記制御手段は、前記施術子の回転状態において前記出力軸の位置を可変するように前記駆動部を制御することを特徴とする頭皮ケア装置。
【発明の詳細な説明】
【技術分野】
【０００１】
本発明は、例えば、頭皮の活性化や育毛を図るための頭皮ケア装置に関するものである。
【背景技術】
【０００２】
従来、例えば特許文献１の頭皮ケア装置では、施術突起を備えた施術子が、駆動源の駆動力に基づき回転される出力軸に対して連結されており、出力軸の回転に伴って回転される施術子の施術突起を頭皮に接触させて刺激を与えることで、血流促進等の頭皮のケア効果が得られるようになっている。
【先行技術文献】
【特許文献】
【０００３】
【特許文献１】特開平７−２１３３２８号公報
【発明の概要】
【発明が解決しようとする課題】
【０００４】
しかしながら、特許文献１のような頭皮ケア装置では、１つの施療子が単純に回転するだけであるため、使用者の好みに応じた刺激（揉み感）を頭皮に与えることが難しく、この点において改善の余地があった。
【０００５】
本発明は、上記課題を解決するためになされたものであって、その目的は、使用者の好みに応じた頭皮ケアがしやすい頭皮ケア装置を提供することにある。
【課題を解決するための手段】
【０００６】
上記課題を解決するために、請求項１に記載の発明は、駆動源の駆動力に基づき回転される出力軸に対し施術突起を備えた施術子が連結され、前記出力軸の回転に伴って回転される前記施術子の前記施術突起を頭皮に接触させて刺激を与える頭皮ケア装置であって、前記出力軸及び前記施術子は、それぞれ複数個設けられ、前記出力軸同士の間の距離を可変するための軸間距離可変機構を備えたことを特徴とする。
【０００７】
この発明では、軸間距離可変機構にて出力軸同士の間の距離を可変することで、頭皮に与える刺激（揉み感）を変化させることが可能となり、その結果、使用者の好みに応じた頭皮ケアがしやすくなる。
【０００８】
請求項２に記載の発明は、請求項１に記載の頭皮ケア装置において、前記各施術子は、複数の前記施術突起からなる突起群を有し、該突起群の中心が対応する前記出力軸からずれた位置に設定されたことを特徴とする。
【０００９】
この発明では、突起群の中心が出力軸からずれて位置されることで、突起群が出力軸の回転に基づきその出力軸の回りを周回動作するため、施術子の突起群の間で頭皮を挟み込むことが可能となり、頭皮ケア効果の向上に寄与できる。
【００１０】
請求項３に記載の発明は、請求項２に記載の頭皮ケア装置において、前記施術子のうち、互いに逆方向に回転する一対の施術子が隣り合うように配置され、それらの前記突起群の中心が、それぞれ対応する前記出力軸を結ぶ線分の垂直二等分線に対して互いに線対称となるように前記出力軸の回りを周回動作する、又はその線対称となる周回動作に対して±１０度の範囲内のずれをもって周回動作するように設定されたことを特徴とする。
【００１１】
この発明では、互いに逆方向に回転する２つの施術子の突起群の中心が、それぞれ対応する出力軸を結ぶ線分の垂直２等分線に対して互いに線対称（又は略線対称）となるように出力軸の回りを周回動作する。このため、その２つの施術子の間で頭皮に挟みの動きとさすりの動きを併せて与えることが可能となり、頭皮ケア効果のより一層の向上に寄与できる。また、その２つの施術子の突起群の中心が、線対称となる周回動作に対して±１０度の範囲内のずれをもって周回動作するように構成した場合、挟みの動きとさすりの動きを好適に付与することが可能となり、線対称に周回動作するように構成した場合、より好適に挟みの動きとさすりの動きを付与することが可能となる。
【００１２】
請求項４に記載の発明は、請求項２に記載の頭皮ケア装置において、前記施術子のうち、互いに同方向に回転する一対の施術子が隣り合うように配置され、その前記突起群の中心が互いに１８０±１０度の範囲内のずれをもって周回動作するように設定されたことを特徴とする。
【００１３】
この発明では、互いに同方向に回転する一対の施術子間において頭皮にひねりの動きと挟みの動きを好適に与えることが可能となるため、頭皮ケア効果の向上に寄与できる。
請求項５に記載の発明は、請求項４に記載の頭皮ケア装置において、同方向に回転する前記一対の施術子は、その前記突起群の中心が互いに１８０度のずれをもって周回動作するように設定されたことを特徴とする。
【００１４】
この発明では、互いに同方向に回転する一対の施術子間において頭皮にひねりの動きと挟みの動きをより効果的に与えることが可能となり、頭皮ケア効果のより一層の向上に寄与できる。
【００１５】
請求項６に記載の発明は、請求項１〜５のいずれか１項に記載の頭皮ケア装置において、前記軸間距離可変機構は、前記出力軸の位置を可変するための駆動部と、前記駆動部を制御するための制御手段とを有し、前記制御手段は、前記施術子の回転状態において前記出力軸の位置を可変するように前記駆動部を制御することを特徴とする。
【００１６】
この発明では、施術子の施術突起で頭皮に刺激を与えている最中でも出力軸間の距離を可変できるため、使用者の好みに応じた頭皮ケアをより一層しやすくすることが可能となる。また、出力軸の位置の可変が施術子のマッサージ動作に影響を与えるため、より多彩なマッサージ動作を実現することが可能となる。
【発明の効果】
【００１７】
従って、上記記載の発明によれば、使用者の好みに応じた頭皮ケアをしやすくすることができる。
【図面の簡単な説明】
【００１８】
【図１】本実施形態の頭皮ケア装置の概略構成図。
【図２】（ａ）（ｂ）本実施形態の施術子の動作を概略的に示す模式図。
【図３】（ａ）（ｂ）別例の施術子の動作を概略的に示す模式図。
【発明を実施するための形態】
【００１９】
以下、本発明を具体化した一実施形態を図面に従って説明する。
図１に示すように、本実施形態の頭皮ケア装置１は、把持可能なハウジング１０と、そのハウジング１０の上部に構成される第１施術子２０ａ及び第２施術子２０ｂとからなる。ハウジング１０の側面には使用者が頭皮ケア装置１のオンオフ操作を行う電源スイッチ１０ａが設けられている。
【００２０】
ハウジング１０の内部には、第１及び第２施術子２０ａ，２０ｂをそれぞれ回転させるためのモータ等からなる第１及び第２駆動装置１１，１２が収容されるとともに、その各駆動装置１１，１２はハウジング１０に収容された制御部１３と電気的に接続されている。制御部１３は、ハウジング１０内に収容された電源１４及び電源スイッチ１０ａと電気的に接続されている。
【００２１】
第１及び第２駆動装置１１，１２には、それぞれ第１及び第２出力軸１５，１６が連結されており、その各出力軸１５，１６は各駆動装置１１，１２の駆動力に基づき回転駆動されるようになっている。各駆動装置１１，１２は、例えばモータとギヤ構造（ともに図示略）を有し、それらと連結された出力軸１５，１６とともにそれぞれ一体に構成されている。第２駆動装置１２は、ハウジング１０に対して移動不能に支持され、その第２駆動装置１２に連結された第２出力軸１６は、ハウジング１０に対して軸受１７を介して回転可能に支持されている。また、第２出力軸１６は、その先端側がハウジング１０の上部から外部に突出するように構成されている。
【００２２】
一方、第１出力軸１５は、左右方向に直線状をなすようにハウジング１０の上面に形成された貫通孔１０ｂに挿通されるとともに、その先端側が第２出力軸１６と同様にハウジング１０外部に突出している。なお、第１出力軸１５と第２出力軸１６とは、左右方向に並設されるとともに、互いに平行となるように上下方向に延びている。
【００２３】
ハウジング１０から突出する第１及び第２出力軸１５，１６の先端部には、それぞれ第１及び第２施術子２０ａ，２０ｂが連結されている。各施術子２０ａ，２０ｂは、各出力軸１５，１６の先端部に一体回転可能に固定された円盤状の回転部材２１と、回転部材２１に支持された支持部材２２と、支持部材２２に固定された４つの施術突起２３ａ（図２（ａ）参照）からなる突起群２３とを備える。
【００２４】
各施術子２０ａ，２０ｂの回転部材２１は、その中心部にそれぞれ対応する出力軸１５，１６の先端部が固定されており、駆動装置１１，１２の駆動に基づいて各出力軸１５，１６の中心である第１の軸１５ａ，１６ａを中心に回転するようになっている。回転部材２１の上面（反ハウジング側の面）に固定された基部２１ａには、平面視（第１の軸方向視）で円形状をなす支持部材２２が軸受２４を介してそれぞれ第１の軸１５ａ，１６ａからずれた第２の軸２５ａ，２５ｂ中心に回転可能に支持されている。なお、各基部２１ａの中心軸は、第２の軸２５ａ，２５ｂと一致している。
【００２５】
第１の軸１５ａ，１６ａと第２の軸２５ａ，２５ｂとは互いに平行であり、各第２の軸２５ａ，２５ｂ同士も互いに平行となっている。なお、各施術子２０ａ，２０ｂの支持部材２２は、その中心軸が対応する第２の軸２５ａ，２５ｂと一致するように構成されている。そして、各施術子２０ａ，２０ｂの支持部材２２の中心軸（第２の軸２５ａ，２５ｂ）は、回転部材２１の回転に伴い、対応する第１の軸１５ａ，１６ａの回りを周回するようになっている。
【００２６】
支持部材２２に設けられた各施術突起２３ａは、エラストマ等の弾性部材よりなり、略円錐形状に形成されている。また、各施術突起２３ａは、第２の軸２５ａ，２５ｂに沿って上方（反ハウジング側）に延出されるとともに、その高さ（支持部材２２から突起先端までの距離）が互いに等しく設定されている。そして、図２（ａ）に示すように、各施術子２０ａ，２０ｂの支持部材２２において、各施術突起２３ａは第２の軸２５ａ，２５ｂを中心として等角度間隔（９０度間隔）で、第２の軸２５ａ，２５ｂから均等な距離に配置されている。これにより、各施術子２０ａ，２０ｂの突起群２３の中心Ｐ１，Ｐ２はそれぞれ第２の軸２５ａ，２５ｂと一致する。すなわち、突起群２３の中心Ｐ１，Ｐ２は、それぞれ対応する第１の軸１５ａ，１６ａからずれた位置に設定されるため、各施術子２０ａ，２０ｂの突起群２３は、対応する出力軸１５，１６の回転に基づき第１の軸１５ａ，１６ａを中心として周回動作されるようになっている。
【００２７】
［軸間距離可変機構の構成］
本実施形態の頭皮ケア装置１は、第１及び第２出力軸１５，１６の間の距離を可変するための軸間距離可変機構３０を備えている。本実施形態では、軸間距離可変機構３０は、第１駆動装置１１及び第１出力軸１５を軸直交方向（図中、左右方向）にスライド駆動させるべくハウジング１０内に収容されている。
【００２８】
軸間距離可変機構３０は、ハウジング１０に支持されたベース部３１と、ベース部３１に支持された駆動部３２と、駆動部３２及び第１駆動装置１１とそれぞれ連結された送りねじ３３とからなる。ベース部３１は、第１駆動装置１１を左右方向に移動可能に支持している。なお、ベース部３１には、左右方向に直線状に延びる一対の長孔３１ａが形成されており、その各長孔３１ａは第１駆動装置１１と係合されて第１駆動装置１１を左右方向にガイドするようになっている。
【００２９】
駆動部３２は、制御部１３と電気的に接続され、その制御部１３の制御に基づき送りねじ３３を左右方向に移動させる。すると、送りねじ３３に連結された第１駆動装置１１が長孔３１ａのガイドに沿って左右方向に移動するようになっている。すなわち、駆動部３２の駆動に基づいて、第１出力軸１５及び第１施術子２０ａが軸直交方向に移動するようになっている。なお、このとき、第１出力軸１５は、ハウジング１０の貫通孔１０ｂにより左右方向にガイドされるようになっている。
【００３０】
このような頭皮ケア装置１では、電源スイッチ１０ａが使用者によってオン操作されると、制御部１３は、第１及び第２駆動装置１１，１２を駆動させて第１及び第２施術子２０ａ，２０ｂを回転駆動させる。この第１及び第２施術子２０ａ，２０ｂの回転駆動において、それらの突起群２３の中心Ｐ１及びＰ２は、それぞれ第１及び第２出力軸１５，１６の中心である第１の軸１５ａ，１６ａを中心として互いに等しい回転周期で周回動作するようになっている。
【００３１】
このとき、第１及び第２施術子２０ａ，２０ｂの突起群２３の中心Ｐ１，Ｐ２は互いに逆方向に周回動作する。なお、本実施形態では、図２（ａ）（ｂ）に示すように、第１施術子２０ａの突起群２３が時計回りに回転され、第２施術子２０ｂの突起群２３が反時計回りに回転されるようになっている。そして、各施術子２０ａ，２０ｂの突起群２３の中心Ｐ１，Ｐ２は、第１の軸１５ａ，１６ａを結ぶ線分の垂直二等分線Ｌに対して互いに線対称となるように、それぞれ対応する第１の軸１５ａ，１６ａの回りを周回動作するようになっている。
【００３２】
また、各施術子２０ａ，２０ｂの支持部材２２は、回転部材２１に固定された基部２１ａに対して回転可能に支持されているため、負荷（突起群２３と接触する頭皮や毛髪との摩擦等）に応じて、例えば、平面視で第２の軸２５ａ，２５ｂに対する施術突起２３ａの位置関係が変化しない状態を保ったまま第１の軸１５ａ，１６ａ中心に周回することが可能とされている（図２（ａ）（ｂ）参照）。従って、負荷（突起群２３と接触する頭皮や毛髪との摩擦等）によっては、突起群２３の各施術突起２３ａが第１の軸１５ａ，１６ａを中心として単純に（それぞれがそれぞれの半径で）回転する運動に基づいて施術子に毛髪が絡まってしまうといった現象を抑制することが可能となっている。
【００３３】
また、制御部１３は、電源スイッチ１０ａが使用者によってオン操作されると、軸間距離可変機構３０の駆動部３２を駆動させ、その駆動に基づき第１駆動装置１１及び第１出力軸１５が左右方向に移動する。制御部１３は、この第１出力軸１５の左右方向の移動と第１施術子２０ａの突起群２３の周回動作とが同期するように動作させる。
【００３４】
詳しくは、第１施術子２０ａの突起群２３が第２施術子２０ｂ側に最も接近する位置（図２（ｂ）参照）から、その突起群２３が第２施術子２０ｂから最も離れる位置（図２（ａ）参照）までの半周を周回している時には、第１出力軸１５（第１の軸１５ａ）は出力軸１６（第１の軸１６ａ）から離れる方向（図中、左方向）に移動する。反対に、第１施術子２０ａの突起群２３が第２施術子２０ｂから最も離れる位置から、その突起群２３が第２施術子２０ｂ側に最も接近する位置までの半周を周回している時には、第１出力軸１５（第１の軸１５ａ）は出力軸１６（第１の軸１６ａ）に接近する方向（図中、右方向）に移動するようになっている。
【００３５】
このとき、施術子２０ａ，２０ｂの間を局所的に見ると、各施術子２０ａ，２０ｂの突起群２３は、互いに接近した状態（第２の軸２５ａ，２５ｂがそれぞれ対応する第１の軸１５ａ，１６ａよりも垂直二等分線Ｌ側にある状態）で略同方向（図中、手前方向）に移動する（図２（ｂ）参照）。これにより、同じタイミングで接近する第１及び第２施術子２０ａ，２０ｂの突起群２３で頭皮を挟むとともに、そこから一方方向（図中、手前方向）にさすり揉みするような頭皮マッサージを実現できるようになっている。そして、このように挟みの動作及びさすり揉みの動作を行う各施術子２０ａ，２０ｂの突起群２３を頭皮に接触させると、その突起群２３の動きに合わせて使用者の頭皮が効果的に動かされることになり、頭皮がケア（マッサージ）されることになる。更に、そのマッサージと同期して第１出力軸１５（第１の軸１５ａ）が第２施術子２０ｂ側に移動されるため、マッサージ中において頭皮に与える刺激（揉み感）を変化させることができ、その結果、より効果的に頭皮に刺激を与えることが可能となっている。また、本実施形態の頭皮ケア装置１では、施術子２０ａ，２０ｂが回転駆動される状態で各出力軸１５，１６の間の距離が可変されるため、頭皮に対して広範囲にマッサージすることが可能となっている。
【００３６】
次に、本実施形態の特徴的な作用効果を記載する。
（１）各出力軸１５，１６の間の距離を可変するための軸間距離可変機構３０を備えるため、その軸間距離可変機構３０にて各出力軸１５，１６の間の距離を可変することで、頭皮に与える刺激（揉み感）を変化させることが可能となり、その結果、使用者の好みに応じた頭皮ケアがしやすくなる。
【００３７】
（２）各施術子２０ａ，２０ｂは、複数の施術突起２３ａからなる突起群２３を有し、その突起群２３の中心Ｐ１，Ｐ２が対応する出力軸１５，１６からずれた位置に設定される。これにより、各施術子２０ａ，２０ｂの突起群２３が出力軸１５，１６の回転に基づきその出力軸１５，１６の回りを周回動作するため、施術子の突起群２３の間で頭皮を挟み込むことが可能となり、頭皮ケア効果の向上に寄与できる。
【００３８】
（３）互いに逆方向に回転する一対の施術子２０ａ，２０ｂが隣り合うように配置され、それらの突起群２３の中心Ｐ１，Ｐ２が、それぞれ対応する出力軸１５，１６を結ぶ線分の垂直二等分線Ｌに対して互いに線対称となるように出力軸１５，１６の回りを周回動作する。このため、その２つの施術子２０ａ，２０ｂの間で頭皮に挟みの動きとさすりの動きを併せて与えることが可能となり、頭皮ケア効果のより一層の向上に寄与できる。
【００３９】
（４）軸間距離可変機構３０は、第１出力軸１５の位置を可変するための駆動部３２と、駆動部３２を制御するための制御手段としての制御部１３とを有し、制御部１３は、第１施術子２０ａの回転状態において第１出力軸１５の位置を可変するように駆動部３２を制御する。これにより、各施術子２０ａ，２０ｂの施術突起２３ａで頭皮に刺激を与えている最中でも、出力軸１５，１６間の距離を可変できるため、使用者の好みに応じた頭皮ケアをより一層しやすくすることが可能となる。また、第１出力軸１５の位置の可変が第１施術子２０ａのマッサージ動作に影響を与えるため、より多彩なマッサージ動作を実現することが可能となる。
【００４０】
尚、本発明の実施形態は、以下のように変更してもよい。
・上記実施形態では、各施術子２０ａ，２０ｂは、互いに逆方向に回転されたが、互いに同方向に回転するようにしてもよい。その中でも、施術子２０ａ，２０ｂの突起群２３の中心Ｐ１，Ｐ２が互いに１８０度±１０度の範囲内のずれをもって同方向に周回動作するように構成すれば、施術子２０ａ，２０ｂ間において、それらの突起群２３にて頭皮にひねりの動きと挟みの動きを好適に与えることが可能となるため、頭皮ケア効果の向上に寄与できる。
【００４１】
更に、そのずれの範囲内で、図３（ａ）（ｂ）に示すように、施術子２０ａ，２０ｂの突起群２３の中心Ｐ１，Ｐ２が１８０度のずれをもって同方向に周回動作するように構成すると、なお効果的である。詳述すると、施術子２０ａ，２０ｂの間を局所的に見ると、各施術子２０ａ，２０ｂの突起群２３は、互いに接近した状態で互いにすれ違うように周回動作する（図３（ｂ）参照）。これにより、同じタイミングで接近する各施術子２０ａ，２０ｂの突起群２３で頭皮を挟むとともに、そこから互いにすれ違う突起群２３の動作によって頭皮にひねりの動きを与えることが可能となっている。このため、施術子２０ａ，２０ｂ間において、それらの突起群２３にて頭皮にひねりの動きと挟みの動きをより効果的に与えることが可能となり、頭皮ケア効果のより一層の向上に寄与できる。
【００４２】
・上記実施形態では、各施術子２０ａ，２０ｂの突起群２３の中心Ｐ１，Ｐ２は、垂直二等分線Ｌに対して互いに線対称となるように周回動作されたが、これに特に限定されるものではない。これ以外に例えば、施術子２０ａ，２０ｂの突起群２３の中心Ｐ１，Ｐ２が、互いに線対称となる周回動作に対して±１０度の範囲内のずれをもって周回動作するように構成してもよい。この構成によっても、施術子２０ａ，２０ｂの間で頭皮に挟みの動きとさすりの動きを併せて与えることが可能となり、頭皮ケア効果のより一層の向上に寄与できる。しかしながら、このような突起群２３の中心Ｐ１，Ｐ２が互いにずれをもって周回動作する構成よりも、上記第１実施形態のように線対称となるように周回動作する構成の方がより好適に頭皮に挟みの動きとさすりの動きを併せて与えることが可能となる。
【００４３】
・上記各実施形態において、施術子２０ａ，２０ｂの少なくとも１つの回転方向を例えば所定周毎に変更しつつ動作させてもよい。このような構成によれば、例えば、頭皮の同一の部位に対して突起群２３の正転動作の刺激と逆転動作の刺激を与えることが可能となる。従って、頭皮に与える動きのバリエーションをより一層増やすことが可能となり、頭皮ケア効果のより一層の向上に寄与できる。
【００４４】
・上記実施形態では、第１出力軸１５を軸直交方向に移動するように構成したが、これに特に限定されるものではなく、第１及び第２出力軸１５，１６の両方、又は、第２出力軸１６のみを移動するように構成してもよい。
【００４５】
・上記実施形態では、施術子２０ａ，２０ｂが回転駆動する状態で出力軸１５，１６間の距離を可変したが、これに特に限定されるものではなく、例えば、使用前に出力軸１５，１６間の距離を調整し、その距離を維持したまま施術子２０ａ，２０ｂを回転駆動させて使用するように構成してもよい。
【００４６】
・上記実施形態では、制御部１３が軸間距離可変機構３０にて自動で出力軸１５，１６間の距離を可変するように構成したが、これに特に限定されるものではなく、例えば、
使用者が軸間距離可変機構にて手動で出力軸１５，１６間の距離を可変することができる構成としてもよい。
【００４７】
・上記実施形態では、施術子２０ａ，２０ｂが２つ設けられたが、これに特に限定されるものではなく、３つ以上としてもよい。
・上記実施形態では、施術突起２３ａの材質をエラストマとしたが、特にこれに限定されるものではなく、エラストマ以外としてもよい。
【００４８】
・上記実施形態では、１つの施術子に設けられる施術突起２３ａの数を４つとしたが、これに特に限定されるものではなく、その数は構成に応じて適宜変更してもよい。
・上記実施形態では、出力軸１５，１６の中心である第１の軸１５ａ，１６ａからずれた位置に突起群２３の中心Ｐ１，Ｐ２を設定したが、これに特に限定されるものではなく、第１の軸１５ａ，１６ａと突起群２３の中心Ｐ１，Ｐ２とが一致するように構成してもよい。これにより、出力軸１５，１６の回転に基づき突起群２３はその中心Ｐ１，Ｐ２を中心軸として回転する。このような構成によっても、上記実施形態と略同様の作用効果を得ることが可能となる。
【００４９】
・上記実施形態において、第１及び第２駆動源１１，１２の構成は適宜変更しても良い。
【符号の説明】
【００５０】
１…頭皮ケア装置、１１，１２…駆動源としての駆動装置、１３…制御手段としての制御部、１５，１６…出力軸、２０ａ，２０ｂ…施術子、２３…突起群、２３ａ…施術突起、３０…軸間距離可変機構、３２…駆動部、Ｐ１，Ｐ２…突起群の中心。
【図１】
2011172630.tif 000003
【図２】
2011172630.tif 000004
【図３】
2011172630.tif 000005